(57)【要約】【課題】  印刷機の刷版の更新時間およびコストを低減する。【解決手段】  特に印刷機内で刷版を作製する方法において、刷版に上書き可能な表面が用意され、該刷版の該表面上に持久的画像および消去可能な画像を作成するために、好適には該表面の消去および該表面の画線部形成が行われる方法。本発明によれば、刷版もしくはその表面に沿った消去および画線部形成は、刷版の表面の少なくとも選択された部分もしくは領域だけが消去され、新たに画線部形成されるように行われる。【選択図】  図１
2005319782.tif 000002
【特許請求の範囲】
【請求項１】
特に印刷機内で刷版を作製する方法において、刷版(10)に上書き可能な表面(11)が用意され、該刷版(10)の該表面(11)上に持久的画像および消去可能な画像を作成するために、好適には該表面の消去および該表面(11)の画線部形成が行われる方法であって、該刷版(10)もしくはその表面(11)に沿った消去および画線部形成は、該刷版(10)の該表面(11)の少なくとも選択された部分もしくは領域だけが消去され、新たに画線部形成されるように行われることを特徴とする方法。
【請求項２】
そのための適宜の装置(13,14)が、前記刷版(10)に対して、長手方向に該刷版(10)の前記表面(11)の消去すべきおよび新たに画線部形成すべき部分もしくは領域または各部分もしくは各領域に移動されることを特徴とする請求項1に記載の方法。
【請求項３】
前記表面(11)の新たに画線部形成される部分もしくは領域または各部分もしくは各領域の画線部形成後にその定着が行われ、そのための適宜の装置(15)が該表面(11)のそれぞれの部分もしくは領域に移動されることを特徴とする請求項1または請求項2に記載の方法。
【請求項４】
定着後または定着前に、前記表面(11)の新たに画線部形成された部分もしくは領域または各部分もしくは各領域のコンディショニングが行われ、そのための適宜の装置(16)が該表面(11)のそれぞれの部分もしくは領域に移動されることを特徴とする請求項3に記載の方法。
【請求項５】
前記刷版(10)のそれぞれの部分もしくは領域の消去および画線部形成ならびに場合によっては定着およびコンディショニングのために、適宜の装置が、長手方向に固定されたもしくは長手方向の中心軸(12)を支点に回転される該刷版の長手方向に、該刷版(10)のそれぞれの部分を通過して移動されることを特徴とする請求項1ないし請求項4のいずれか一項に記載の方法。
【請求項６】
前記消去および画線部形成ならびに場合によっては定着およびコンディショニングのために、適宜の装置が制御装置によってデジタル制御されることを特徴とする請求項1ないし請求項5のいずれか一項に記載の方法。
【請求項７】
表面を消去するための少なくとも1つの消去装置(13)と、該消去された表面を画線部形成するための画線部形成装置(14)とを有する、特に印刷機内で刷版の表面上に持久的画像および消去可能な画像を作成するための装置であって、該消去装置(13)および該画線部形成装置(14)が、表面(11)の消去および画線部形成が該表面(11)の少なくとも選択された領域に対してのみ行われるように形成されたことを特徴とする装置。
【請求項８】
前記消去装置(13)および該画線部形成装置(14)が、前記刷版(10)に対して移動可能であることを特徴とする請求項7に記載の装置。
【請求項９】
前記消去装置(13)および該画線部形成装置(14)が、デジタル制御可能であることを特徴とする請求項7または請求項8に記載の装置。
【請求項１０】
前記刷版の表面(11)の新たに画線部形成された部分または各部分を定着させるための定着装置(15)を備え、該定着装置(15)が前記刷版(10)に対して移動可能であり、かつデジタル制御可能であることを特徴とする請求項7ないし請求項9のいずれか一項に記載の装置。
【請求項１１】
定着後または定着前に前記表面の新たに画線部形成された部分または各部分をコンディショニングするためのコンディショニング装置(16)を備え、該コンディショニング装置(16)が前記刷版(10)に対して移動可能であり、かつデジタル制御可能であることを特徴とする請求項7ないし請求項10のいずれか一項に記載の装置。
【発明の詳細な説明】
【技術分野】
【０００１】
本発明は請求項1のプリアンブルに記載の刷版を製造する方法に関する。本発明はさらに請求項7のプリアンブルに記載の刷版を製造する装置に関する。
【０００２】
刷版で印刷する際に、一つのページ上で1回印刷可能な刷版により動作する方法と、別のページ上で上書き可能な刷版により動作する方法とでは基本的に異なる。上書き可能な刷版を使用する印刷方法は「印刷用コンピュータ/直接画像化」のキャッチフレーズで要約される。本発明はこのような上書き可能な刷版上に持久画像ならびに消去可能な画像を作成する方法および装置に関するものである。
【背景技術】
【０００３】
出願人は、上書き可能な刷版および消去可能な刷版で動作する、「DICOweb」という商品名のデジタル印刷機を販売している。このような刷版を作製する際に、好適には刷版基本シリンダに対して消去段階と画線部形成段階とが実行される。このような刷版の消去時に使用可能な消去装置は例えばDE 100 08 214 A1に開示されている。DE 100 23 319 A1は、このような刷版を画線部形成する装置を開示している。DICOweb技術のその他の基本的特徴に関しては、Helmut Kipphan著、「Handbuch der Printmedien」、ｐ.674〜680、2000年1月、Springer-Verlag社刊を参照することができる。
【０００４】
このような上書き可能な刷版の作製に際しては、従来技術によれば、常に刷版全体が消去もしくは削除され、その後新たに画線部形成されるようにして行われる。従来技術では常に刷版全体が消去ならびに画線部形成されることに制約されて、このような刷版で動作する印刷機の更新時間が比較的長い結果となる。
【特許文献１】DE 100 08 214 A1
【特許文献２】DE 100 23 319 A1
【非特許文献１】Helmut Kipphan著、「Handbuch der Printmedien」、ｐ.674〜680
【発明の開示】
【発明が解決しようとする課題】
【０００５】
したがって本発明の課題は、刷版を作製するための新規の方法を作り出すことにある。
【課題を解決するための手段】
【０００６】
上記の課題は、請求項1に記載の刷版作製方法によって解決される。本発明によって刷版もしくはその表面に沿った消去および画線部形成は、刷版の表面の少なくとも選択された部分もしくは領域だけが消去され、新たに画線部形成されるように行われる。
【０００７】
本発明に基づいて、刷版に沿った消去および画線部形成は、刷版の表面の選択された部分もしくは領域だけで行われる。それによって、シリンダ形状の刷版の特定領域だけを新たな印刷仕様に適合させることができ、それによって印刷機の更新時間を明らかに短縮することができる。シリンダ形刷版の表面の消去されるまたは新たに画線部形成される領域は、シリンダの縦軸方向および/またはシリンダの周囲方向の刷版のシリンダ形表面の部分である。
【０００８】
刷版の表面上に持久的および消去可能な画像を作成するための本発明による装置は、少なくとも表面を消去するための消去装置と、消去された表面を画線部形成するための画線部形成装置とを利用しており、本発明に基づいて消去装置および画線部形成装置は、表面の消去および画線部形成をその少なくとも選択された領域だけで実行可能であるように構成されている。
【発明を実施するための最良の形態】
【０００９】
本発明の好適な発展形態は従属請求項および下記の説明から明らかにされる。それに限定されるものではないが、図面を参照して本発明の一実施形態を詳細に説明する。
【００１０】
以下に図1を参照して本発明をDICOweb技術によるオフセット印刷について記載するが、DICOweb技術のオフセット印刷のバリエーションは「DICOweb litho」とも呼ばれている。
【００１１】
図1は上書き可能な刷版10、すなわちその表面11上に持久画像および消去可能な画像を作成するための本発明による装置の概略図を示している。上書き可能な刷版10は好適にはシリンダ形に形成されており、図1の刷版10の長手方向の中心軸は参照番号12で示されている。
【００１２】
刷版10の表面11上に持久画像および消去可能な画像を作成するために、刷版10の表面11の消去、表面11の画線部形成、ならびに場合によっては画線部形成された表面の定着およびコンディショニングが行われる。そのために本発明による装置は対応する装置、すなわち消去装置13と、画線部形成装置14と、定着装置15、ならびにコンディショニング装置16を利用している。
【００１３】
図1から分かるように、全ての装置13,14,15および16は横棒17に沿って刷版10もしくはその表面11に対して刷版10の長手方向に移動可能であり、移動方向は矢印18で示されている。装置13,14,15および16を刷版10の長手方向に移動させる際には、刷版10は長手方向には停止しているが、長手方向の中心軸12を支点に矢印19の方向に回転移動される。図1は装置13ないし16を横棒17に沿って共通に移動させるためのこれらの装置用のモータ駆動装置20、ならびに刷版10の長手方向の中心軸12を支点にした回転を保証するためのモータ装置21を示している。
【００１４】
本発明によって、刷版10の表面11上への持久画像および消去可能な画像の作成、もしくは用意は、刷版10もしくは刷版10の表面11の消去および画線部形成が刷版10の表面11の少なくとも選択された部分もしくは領域だけで行われるような方法および態様で行われる。その後、画線部形成された刷版10が提示され、本発明に従って、刷版10を新たな印刷仕様に適合させるために表面11の特定の領域もしくは部分だけが消去され、新たに画線部形成される。そのために表面11の消去されるまたは新たに画線部形成される部分に対し、対応する装置13,14,15および16が横棒17に沿って移動され、その後、これらの部分だけに刷版10の新たな画線部形成がなされる。
【００１５】
本発明による方法を実施するには、刷版10の表面11のそれぞれの部分の消去ならびに新たな画線部形成に必要な全ての装置13,14,15および16はデジタル制御されることが可能であり、充分な解像度、好適には5μmの範囲の解像度でデジタル動作する。図1から分かるように、そのために刷版10と連動する装置13,14,15および16には、一方では装置13ないし16を制御し、他方では駆動装置20および21を制御する制御装置22が備えられている。
【００１６】
これらの制御装置22は、さらに別の刷版10に備えられている制御装置22にも連結された印刷機の機械制御装置23によって制御される。印刷機の各印刷装置には好適には、対応する装置13ないし17および20ないし22を有する少なくとも1つの同様の刷版10が組み込まれている。それによって本発明による方法は好適に印刷機内部で実行される。
【００１７】
したがって、本発明に基づいて、再利用可能な刷版上の持久的画像ならびに消去可能な画像は、刷版が幅もしくは長さ全体にわたって消去され、新たに画線部形成されることによってではなく、むしろ刷版を新たな印刷仕様に適合させるために表面11全体の選択された部分もしくは領域だけが変更されることによって用意される。それによって変更された印刷仕様に印刷機を適合させる際の時間消費およびコストが明らかに低減される。
【００１８】
「DICOweb litho」によるオフセット印刷の場合は、本発明に基づいて、刷版10の表面11の新たに画線部形成されるべき部分がレーザを利用して消去され、これに引き続いて、消去された部分が好適にはレーザと連結された熱転写バンドを介して新たに画線部形成される。刷版の新たに画線部形成された部分もしくは領域の定着およびコンディショニングも刷版の新たに画線部形成された部分だけで局部的に行われる。定着も好適には刷版10の表面11の新たに画線部形成された部分を加温、もしくは加熱するレーザによって行われる。
【００１９】
本発明をオフセット印刷の実施例で記載してきたが、本発明はグラビア印刷の刷版の作成にも利用することができ、したがって「DICOweb Gravure」の方式と組み合わせて使用できることは当然である。
【００２０】
そのために刷版の適合させる部分内に位置する刷版10の表面11内の小鉢状の凹みが画像削除もしくは消去され、これらの領域だけが例えばブレードを介して新たに充填される。これらの小鉢状の凹みが充填された後、刷版10の表面11のこの部分で局部的にこの部分もしくは領域の新たな画線部形成が行われる。
【図面の簡単な説明】
【００２１】
【図１】刷版を作製するための本発明による極めて概略化された装置を示す図である。
【符号の説明】
【００２２】
10  刷版
11  表面
12  刷版の長手方向の中心軸
13  消去装置
14  画線部形成装置
15  定着装置
16  コンディショニング装置
17  横棒
20  駆動装置
21  駆動装置
22  制御装置
23  機械制御装置
【図１】
2005319782.tif 000003